(57)【要約】【課題】柔軟に各種のデータ形式に対応できる汎用性を有したデータ処理装置およびそのデータ解析方法を提供する。【解決手段】データ解析に関する処理の有無を制御するための指示情報を生成するデータ解析制御部２０と、指示情報に応じて、受信したデータの冗長に関する処理を行う冗長処理部２１と、指示情報に応じて、受信したデータの値の変動に関する処理を行う変動処理部２２と、指示情報に応じて、受信したデータの値の範囲に関する処理を行う範囲処理部２３と、指示情報に応じて、受信したデータの値の変換に関する処理を行う変換処理部２４とを備える。【選択図】図１
2008269287.tif 000002
【特許請求の範囲】
【請求項１】
伝送路を介して収集した複数種類のデータに対しての解析処理を含む処理を行うデータ処理装置であって、
データ解析に関する処理の有無を制御するための指示情報を生成するデータ解析制御部と、
前記指示情報に応じて、受信したデータの冗長に関する処理を行う冗長処理部と、
前記指示情報に応じて、受信したデータの値の変動に関する処理を行う変動処理部と、
前記指示情報に応じて、受信したデータの値の範囲に関する処理を行う範囲処理部と、
前記指示情報に応じて、受信したデータの値の変換に関する処理を行う変換処理部とを備えたことを特徴とするデータ処理装置。
【請求項２】
前記冗長処理部は、前記指示情報に応じて、前記受信したデータの中から有効なデータを抽出するとともに、重複した前記有効なデータを取得したかどうかを判定し、前記重複したデータを受信した場合には、前記重複したデータの中から１つのデータを抽出し、前記抽出したデータを有効なデータとして出力することを特徴とする請求項１に記載のデータ処理装置。
【請求項３】
前記変動処理部は、前記指示情報に応じて、前記受信したデータの値の変動を検出し、前記検出した値の変動が所定の値を超える場合には、前記受信したデータを無効データとして破棄することを特徴とする請求項１に記載のデータ処理装置。
【請求項４】
前記範囲処理部は、前記指示情報に応じて、前記受信したデータの値が所定の範囲内であるかどうかを判定し、前記所定の範囲外となる場合には、前記受信したデータを無効データとして破棄することを特徴とする請求項１に記載のデータ処理装置。
【請求項５】
前記変換処理部は、前記指示情報に応じて、前記受信したデータの値を所定の変換形式に基づき変換することを特徴とする請求項１に記載のデータ処理装置。
【請求項６】
伝送路を介して収集した複数の種類のデータに対しての解析を行うデータ解析部と、前記データ解析部を制御するための指示情報を生成するデータ解析制御部とを有したデータ処理装置のデータ解析方法であって、
前記指示情報に応じて、受信したデータの冗長に関する処理である冗長処理を行うステップと、
前記指示情報に応じて、受信したデータの値の変動に関する処理である変動処理を行うステップと、
前記指示情報に応じて、受信したデータの値の範囲に関する処理である範囲処理を行うステップと、
前記指示情報に応じて、受信したデータの値の変換に関する処理である変換処理を行うステップとを備えたことを特徴とするデータ解析方法。
【発明の詳細な説明】
【技術分野】
【０００１】
本発明は、ローカルエリアネットワークなどの伝送路を使用してデータ収集を行うデータ処理装置およびそのデータ解析方法に関し、特に、伝送路に接続された計測装置や監視装置などが取り込んだ各種データを収集し、解析するデータ処理装置およびそのデータ解析方法に関する。
【背景技術】
【０００２】
近年、ネットワークの高速化やパーソナルコンピュータの急速な普及により、各種の情報機器が互いにネットワークで接続されるようなシステムが、企業などにおいて広く利用されている。例えば、ビルのフロアやビル全体内部のように比較的小規模の範囲では、デジタル機器を互いデータ接続したローカルエリアネットワーク（Ｌｏｃａｌ  Ａｒｅａ  Ｎｅｔｗｏｒｋ、以下、適宜、「ＬＡＮ」と呼ぶ。）が構成されている。
【０００３】
また、このようなＬＡＮの利用形態として、例えば、航空機や船舶のような輸送機関内にＬＡＮを設置し、ＬＡＮを介した装置間の通信により輸送に関する処理や制御を行うシステムなども実現している。このような、システムの一例として、輸送機関内の各所に配置された計測装置、監視装置、制御装置やセンサ装置など様々な種類の装置と、それらの装置が取り込んだ各種データを収集するデータ処理装置とがＬＡＮを介して接続され、データ処理装置が収集したデータを用いて、安全輸送に関する処理など各種処理を実行するようなシステムがある。
【０００４】
ところで、このようなＬＡＮなどの伝送路を介したデータ通信の普及により、容易にデータを扱うことが可能となったが、数々の通信や伝送手法が提案されているため、例えば通信の相手側機器に対応させた通信手段などが必要となり、処理の効率を低下させるという課題があった。また、上述の輸送機関内の各所に配置するような計測装置などは特殊な装置である場合が多く、例えば、同じ温度測定装置であっても、機種や製造者によりデータ構造や形式が異なることなどがあった、このため、データ処理装置をそれぞれのデータ構造などに対応させることが必要となり、これによっても処理の効率が低下するという課題があった。
【０００５】
このような課題を解決するため、従来、複数種の受信データの形式を解析するデータ解析手段を備え、複数種類のデータの送受信を容易かつ確実にし、これによって効率的なデータ利用を図ったサーバシステムが提案されている（例えば、特許文献１参照）。
【０００６】
このような従来のサーバシステムは、複数種類の伝送路を通じて複数種のデータの送受信制御を行うデータ伝送制御手段と、データ伝送制御手段を通じて受信した複数種の受信データの形式を解析し、それぞれの受信データの形式に対応した保存方法を初期設定するなどのための解析を行うデータ解析手段と、データ解析手段での解析結果に基づいて、統一した処理形態で利用可能なデータに変換するデータ変換手段と、データ変換手段で処理したデータを記憶する手段とを備えた構成としている。このような構成により、従来のサーバシステムは、全ての受信データを統一した形式で蓄積できるようになり、ＬＡＮなどの複数種の伝送路を通じて複数種データの送受信を容易かつ確実に行うとともに、その効率的なデータ利用を可能としている。
【特許文献１】特開２０００−１０５７４０号公報
【発明の開示】
【発明が解決しようとする課題】
【０００７】
しかしながら、上述した従来のサーバシステムの場合、データ解析手段は、データ伝送制御手段を通じて受信したファクシミリデータ、スキャナデータ、印刷データおよび電子メールデータなど、あらかじめ設定しておいた複数種の受信データの形式を解析する手法であるため、例えば、新たなデータ形式を利用した装置が出現した場合、それに対応させた新たな解析手段も必要となり、即座に対応できないという課題があった。また、従来のサーバシステムの場合、そのような新たなデータ形式に対応させるための回路やソフトウェアの追加などが必要となり、回路規模の増大や処理プログラムを格納するメモリ容量の増加を招く可能性もあった。
【０００８】
本発明は、上記課題を解決するためになされたもので、回路規模やメモリ容量の増加させることなく、単一の回路あるいは処理で柔軟に各種のデータ形式に対応できる汎用性を有したデータ処理装置およびそのデータ解析方法を提供することを目的とする。
【課題を解決するための手段】
【０００９】
上述したような課題を解決するために、本発明のデータ処理装置は、伝送路を介して収集した複数種類のデータに対しての解析処理を含む処理を行うデータ処理装置であって、データ解析に関する処理の有無を制御するための指示情報を生成するデータ解析制御部と、指示情報に応じて、受信したデータの冗長に関する処理を行う冗長処理部と、指示情報に応じて、受信したデータの値の変動に関する処理を行う変動処理部と、指示情報に応じて、受信したデータの値の範囲に関する処理を行う範囲処理部と、指示情報に応じて、受信したデータの値の変換に関する処理を行う変換処理部とを備える。
【００１０】
また、本発明のデータ処理装置は、冗長処理部が、指示情報に応じて、受信したデータの中から有効なデータを抽出するとともに、重複した有効なデータを取得したかどうかを判定し、重複したデータを受信した場合には、重複したデータの中から１つのデータを抽出し、抽出したデータを有効なデータとして出力する構成である。
【００１１】
また、本発明のデータ処理装置は、変動処理部が、指示情報に応じて、受信したデータの値の変動を検出し、検出した値の変動が所定の値を超える場合には、受信したデータを無効データとして破棄する構成である。
【００１２】
また、本発明のデータ処理装置は、範囲処理部が、指示情報に応じて、受信したデータの値が所定の範囲内であるかどうかを判定し、所定の範囲外となる場合には、受信したデータを無効データとして破棄する構成である。
【００１３】
また、本発明のデータ処理装置は、変換処理部が、指示情報に応じて、受信したデータの値を所定の変換形式に基づき変換する構成である。
【００１４】
また、本発明のデータ解析方法は、伝送路を介して収集した複数の種類のデータに対しての解析を行うデータ解析部と、データ解析部を制御するための指示情報を生成するデータ解析制御部とを有したデータ処理装置のデータ解析方法であって、指示情報に応じて、受信したデータの冗長に関する処理である冗長処理を行うステップと、指示情報に応じて、受信したデータの値の変動に関する処理である変動処理を行うステップと、指示情報に応じて、受信したデータの値の範囲に関する処理である範囲処理を行うステップと、指示情報に応じて、受信したデータの値の変換に関する処理である変換処理を行うステップとを備える。
【００１５】
以上のような構成により、あらかじめデータ解析に必要となる冗長処理、変動処理、範囲処理および変換処理を１つの処理手段とし、それぞれの処理における処理の有無や処理のためのデータを指示情報により設定可能としているため、将来、新たなデータ形式が出現した場合であっても、そのようなデータ形式に容易かつ即座に対応することができる。
【発明の効果】
【００１６】
本発明のデータ処理装置およびデータ解析方法によれば、回路規模やメモリ容量の増加させることなく、単一の回路あるいは処理で柔軟に各種のデータ形式に対応できる汎用性を有したデータ処理装置およびそのデータ解析方法を提供することができる。
【発明を実施するための最良の形態】
【００１７】
以下、本発明の実施の形態について図面を参照しながら詳細に説明する。
【００１８】
（実施の形態）
図１は、本発明の実施の形態におけるデータ処理装置１００の構成を示すブロック図である。本実施の形態では、航空機や船舶のような輸送機関内にＬＡＮのようなネットワークを設置し、データ処理装置１００と、輸送機関内の各所に配置された計測装置、監視装置、制御装置やセンサ装置など様々な種類の装置とがネットワークを介して接続され、データ処理装置１００が、ネットワークに接続された各装置からの各種データを収集し、処理するような一例を挙げて説明する。
【００１９】
図１に示すように、本実施の形態のデータ処理装置１００は、ＬＡＮなどの伝送路としてのネットワーク３００にデータ接続され、データの送受信を行い、ネットワーク３００にデータ接続されたＡ装置からＮ装置までで示すような各種の装置とのデータ通信を行う。ネットワーク３００にデータ接続されたＡ装置などは、輸送機関内の各所に配置された計測装置、監視装置、制御装置やセンサ装置などの様々な種類の装置であり、例えば、エンジンの温度を測定する装置、客室の温度を測定する装置、外気の温度を測定する装置、速度を測定する装置、航空機の高度を測定する装置、燃料の状態を監視する装置、扉の状態を監視する装置などである。
【００２０】
また、本実施の形態のデータ処理装置１００は、ネットワーク３００を介してデータを送受信することで通信を行うデータ通信部１１と、データ通信部１１で受信したデータの解析処理を行うデータ解析部２００と、データ解析に関する処理の有無を制御するための指示情報を生成し、データ解析部２００の処理を制御するデータ解析制御部２０と、データ解析部２００により解析された解析処理済みのデータを蓄積する受信データメモリ１２と、受信データメモリ１２に蓄積されたデータを用いて所定の処理を行う受信データ処理部１３と、送信するデータを生成する送信データ処理部１９とを備えている。本データ処理装置１００は、このような構成により、ネットワーク３００を介して収集した複数種類のデータに対しての解析処理を含む処理を行う。
【００２１】
さらに、データ解析部２００は、受信したデータの冗長に関する処理を行う冗長処理部２１と、受信したデータの値の変動に関する処理を行う変動処理部２２と、受信したデータの値の範囲に関する処理を行う範囲処理部２３と、受信したデータの値の変換に関する処理を行う変換処理部２４と、データ解析制御部２０から通知される指示情報をデータ解析部２００の各処理部に対応させて格納するレジスタ２５、２６、２７および２８とを備えている。
【００２２】
本実施の形態のデータ処理装置１００は、このような基本構成により、受信したデータに対して、データ解析部２００がデータ解析制御部２０から指示されたデータ解析の処理を実行し、データ解析部２００により解析された解析処理済みのデータに対して所定の処理を実行する。
【００２３】
このような解析処理を行うため、まず、データ解析制御部２０は、冗長処理部２１に対応したレジスタ２５、変動処理部２２に対応したレジスタ２６、範囲処理部２３に対応したレジスタ２７、および変換処理部２４に対応したレジスタ２８に対して、指示情報を設定する。
【００２４】
また、冗長処理部２１は、データ解析制御部２０からレジスタ２５を介して通知された指示情報に応じて、受信したデータの冗長に関する処理を行う。このような冗長に関する処理として、冗長処理部２１は、受信したデータの中から有効なデータを抽出するとともに、重複した有効なデータを取得したかどうかを判定し、重複したデータを受信した場合には、重複したデータの中から１つのデータを抽出し、抽出したデータを有効なデータとして出力する。すなわち、冗長処理部２１は、受信したデータの中から有効なデータのみを抽出し、有効ではないデータは無効データとして破棄する。さらに、冗長処理部２１は、このようにして複数の有効データを取得した場合には、それらの有効データの中から１つのデータを代表データとして取得する。また、冗長処理部２１は、データ解析制御部２０からの指示情報により、冗長処理を実行するよう通知されたとき、上述したような冗長処理を実行し、取得した代表データを出力する。逆に、冗長処理部２１は、データ解析制御部２０から冗長処理を実行しないよう通知されたとき、冗長処理を実行せず、受信したデータを出力する。
【００２５】
このような冗長に関する処理の具体例として、例えば、ネットワーク３００に接続されたＡ装置が温度を測定する装置であるとする。この場合、Ａ装置は、設置された所定の箇所の温度を測定し、所定の期間ごとにデータ処理装置１００に対して、温度データを送信する。データ処理装置１００は、このように定期的に送られてくる温度データを受信データとして受信する。また、データ解析部２００において、指示情報により冗長処理を実行するよう通知されている場合、冗長処理部２１は、定期的に送られてくる温度データに対して、上述したような冗長に関する処理を実行する。
【００２６】
次に、変動処理部２２は、データ解析制御部２０からレジスタ２６を介して通知された指示情報に応じて、受信したデータの値の変動に関する処理を行う。このような受信したデータの値の変動に関する処理として、変動処理部２２は、受信したデータとして冗長処理部２１から供給されたデータの値の変動を検出し、検出した値の変動が所定の値を超える場合には、受信したデータを無効データとして破棄し、一定期間、値の更新を中止する。また、検出した値の変動が所定の値を超えない場合には、受信したデータを出力する。また、このような変動を検出するための所定の値は、データ解析制御部２０から指示情報に含めて通知される。さらに、変動処理部２２は、データ解析制御部２０からの指示情報により、変動処理を実行するよう通知されたとき、上述したような変動処理を実行する。逆に、変動処理部２２は、データ解析制御部２０から変動処理を実行しないよう通知されたとき、変動処理を実行せず、受信したデータを出力する。変動処理部２２が実行する処理の具体的な例として、例えば、対象のデータが上述したような温度データである場合、変動処理部２２は、このような温度データの変動が頻繁に発生しているかどうかを判定する。また、変動処理部２２は、変動が頻繁に発生していると判定した場合には、取得した温度データにおいてなんらかの異常があると判断し、順次取得する温度データを一定期間だけ無効データとして破棄し、その期間、温度データの値の更新を中止する。
【００２７】
次に、範囲処理部２３は、データ解析制御部２０からレジスタ２７を介して通知された指示情報に応じて、受信したデータの値の範囲に関する処理を行う。このような受信したデータの値の範囲に関する処理として、範囲処理部２３は、受信したデータの値が所定の範囲内であるかどうかを判定し、所定の範囲外となる場合には、受信したデータを無効データとして破棄する。また、受信したデータの値が所定の範囲内となる場合には、受信したデータを出力する。また、このような値の範囲を判定するための上限値や下限値は、データ解析制御部２０から指示情報に含めて通知される。さらに、範囲処理部２３は、データ解析制御部２０からの指示情報により、範囲処理を実行するよう通知されたとき、上述したような範囲処理を実行する。逆に、範囲処理部２３は、データ解析制御部２０から範囲処理を実行しないよう通知されたとき、範囲処理を実行せず、受信したデータを出力する。範囲処理部２３が実行する処理の具体的な例として、例えば、対象のデータが上述したような温度データである場合、範囲処理部２３は、このような温度データの値の範囲が所定の範囲内であるかどうかを判定する。また、範囲処理部２３は、温度データの値の範囲が所定の範囲外であると判定した場合には、取得した温度データにおいてなんらかの異常があると判断し、その温度データを無効データとして破棄する。
【００２８】
次に、変換処理部２４は、データ解析制御部２０からレジスタ２８を介して通知された指示情報に応じて、受信したデータの値の変換に関する処理を行う。このようなデータの値の変換に関する処理として、変換処理部２４は、例えば、変換テーブルなどを有しており、変換テーブルなどを利用して、受信したデータの値を所定の変換形式に基づき変換する。また、このような変換の形式は、データ解析制御部２０から指示情報に含めて通知される。さらに、変換処理部２４は、データ解析制御部２０からの指示情報により、変換処理を実行するよう通知されたとき、上述したような変換処理を実行する。逆に、変換処理部２４は、データ解析制御部２０から変換処理を実行しないよう通知されたとき、変換処理を実行せず、受信したデータを出力する。変換処理部２４から出力されたデータは、受信データメモリ１２に格納される。変換処理部２４が実行する処理の具体的な例として、例えば、Ａ装置が摂氏に基づく温度の温度データを通知し、Ｂ装置が華氏に基づく温度の温度データを通知するような場合、変換処理部２４により統一した温度となるように一方の温度データを変換するような処理に利用される。
【００２９】
次に、以上のように構成された本データ処理装置の動作について、データ解析部２００によるデータ解析処理を中心に説明する。
【００３０】
図２は、本データ処理装置が実行するデータ解析処理の手順を示したフローチャートである。以下、図２を参照しながら本データ処理装置の動作について説明する。
【００３１】
まず、データ解析処理を実行するのに先立ち、データ解析制御部２０は、冗長処理部２１に対応したレジスタ２５、変動処理部２２に対応したレジスタ２６、範囲処理部２３に対応したレジスタ２７、および変換処理部２４に対応したレジスタ２８に対して、これから実施するデータ解析処理に対応した指示情報を設定する。
【００３２】
データ解析処理の実行を開始すると、まず、冗長処理部２１は、データ通信部１１から受信したデータを取り込む（ステップＳ１００）。次に、冗長処理部２１は、レジスタ２５に設定された指示情報を参照し、冗長処理を実行するかどうかを判定する（ステップＳ１０２）。冗長処理部２１は、冗長処理を実行すると判定すると、ステップＳ１０４の処理に進み、また、冗長処理を実行しないと判定すると、ステップＳ１１２の処理に進む。冗長処理部２１は、ステップＳ１０４の処理に進むと、受信したデータが有効かどうかを判定する（ステップＳ１０４）。冗長処理部２１は、有効と判定するとステップＳ１０８の処理に進み、無効と判定するとステップＳ１０６の処理に進む。冗長処理部２１は、無効と判定し、ステップＳ１０６の処理に進むと、受信データを破棄し、ステップＳ１００に進み新たな受信データを取り込む（ステップＳ１０６）。また、冗長処理部２１は、有効と判定し、ステップＳ１０８の処理に進むと、全データを取得したかどうかを判定する（ステップＳ１０８）。冗長処理部２１は、全データを取得したと判定すると、ステップＳ１１０の処理に進み、全データを取得していないと判定すると、ステップＳ１００に進み新たな受信データを取り込む。冗長処理部２１は、ステップＳ１１０の処理に進むと、重複したデータがあるかどうかを判定し、重複したデータがある場合には、重複した有効データの中から１つのデータを代表データとして取得する（ステップＳ１１０）。この後、冗長処理部２１による冗長処理が終了する。
【００３３】
次に、変動処理部２２は、レジスタ２６に設定された指示情報を参照し、変動処理を実行するかどうかを判定する（ステップＳ１１２）。変動処理部２２は、変動処理を実行すると判定すると、ステップＳ１１４の処理に進み、また、変動処理を実行しないと判定すると、ステップＳ１１８の処理に進む。変動処理部２２は、ステップＳ１１４の処理に進むと、受信したデータの値の変動を検出し、検出した値の変動が所定の値を超えているかどうかを判定する（ステップＳ１１４）。変動処理部２２は、検出した値の変動が所定の値を超えている場合には、ステップＳ１１６の処理に進み、また、検出した値の変動が所定の値を超えていない場合には、ステップＳ１１８の処理に進む。変動処理部２２は、ステップＳ１１６の処理に進むと、受信したデータを破棄し、データ解析処理を終了する（ステップＳ１１６）。この後、変動処理部２２による変動処理が終了する。
【００３４】
次に、範囲処理部２３は、レジスタ２７に設定された指示情報を参照し、範囲処理を実行するかどうかを判定する（ステップＳ１１８）。範囲処理部２３は、範囲処理を実行すると判定すると、ステップＳ１２０の処理に進み、また、範囲処理を実行しないと判定すると、ステップＳ１２４の処理に進む。範囲処理部２３は、ステップＳ１２０の処理に進むと、受信したデータの値が所定の範囲内であるかどうかを判定する（ステップＳ１２０）。範囲処理部２３は、受信したデータの値が所定の範囲内と判定した場合には、ステップＳ１２４の処理に進み、また、所定の範囲外と判定した場合には、ステップＳ１２２の処理に進む。範囲処理部２３は、ステップＳ１２２の処理に進むと、受信したデータを破棄し、データ解析処理を終了する（ステップＳ１２２）。この後、範囲処理部２３による範囲処理が終了する。
【００３５】
次に、変換処理部２４は、レジスタ２８に設定された指示情報を参照し、変換処理を実行するかどうかを判定する（ステップＳ１２４）。変換処理部２４は、変換処理を実行すると判定すると、ステップＳ１２６の処理に進み、また、変換処理を実行しないと判定すると、データ解析処理を終了する。変換処理部２４は、ステップＳ１２６の処理に進むと、変換テーブルなどを利用して、受信したデータの値を所定の変換形式に基づき変換するような変換処理を実行する（ステップＳ１２６）。さらに、変換処理部２４は、変換処理したデータを受信データメモリ１２に格納する（ステップＳ１２８）。この後、変換処理部２４による範囲処理が終了する。
【００３６】
以上説明したように、本実施の形態のデータ処理装置は、処理の有無を制御するための指示情報を生成するデータ解析制御部２０と、指示情報に応じて、受信したデータの冗長に関する処理を行う冗長処理部２１と、指示情報に応じて、受信したデータの値の変動に関する処理を行う変動処理部２２と、指示情報に応じて、受信したデータの値の範囲に関する処理を行う範囲処理部２３と、指示情報に応じて、受信したデータの値の変換に関する処理を行う変換処理部２４とを備えた構成である。
【００３７】
本実施の形態のデータ処理装置は、このような構成としているため、あらかじめデータ解析に必要となる冗長処理、変動処理、範囲処理および変換処理を１つの処理手段とし、それぞれの処理における処理の有無を指示情報により設定可能としており、将来、新たなデータ形式が出現した場合であっても、そのようなデータ形式に容易かつ即座に対応することができる。よって、本発明のデータ処理装置によれば、回路規模やメモリ容量の増加させることなく、単一の回路あるいは処理で柔軟に各種のデータ形式に対応できる汎用性を有したデータ処理装置およびそのデータ解析方法を提供することができる。
【産業上の利用可能性】
【００３８】
本発明は、各種類に対応したデータ解析が可能であるため、例えば、ＬＡＮなどのネットワークに対応し、データ解析処理の機能を有したデータ処理装置に利用してその有用性は大である。
【図面の簡単な説明】
【００３９】
【図１】本発明の実施の形態におけるデータ処理装置の構成を示すブロック図
【図２】本発明の実施の形態におけるデータ処理装置のデータ解析処理の手順を示すフローチャート
【符号の説明】
【００４０】
１１    データ通信部
１２    受信データメモリ
１３    受信データ処理部
１９    送信データ処理部
２０    データ解析制御部
２１    冗長処理部
２２    変動処理部
２３    範囲処理部
２４    変換処理部
２５，２６，２７，２８    レジスタ
１００    データ処理装置
２００    データ解析部
３００    ネットワーク
【図１】
2008269287.tif 000003
【図２】
2008269287.tif 000004